(57)【要約】【課題】従来のシート切断具付きシート収納装置は、最初に切断されるべきシートの端を切断しずらく、切断するためには右手を上記切断具に対して大きく捩じりながら上記シートを引っ張る必要があるという欠点があった。【解決手段】本発明のシート切断具付きシート収納装置は、シート収納箱と、このシート収納箱に設けた直線状のシート切断具とよりなり、上記シート切断具が上記シート収納箱からのシート引出方向と直交する方向に対して傾斜していることを特徴とする。また、上記切断具の端部には突出刃部を設ける。また、上記シート収納箱の蓋に直線状に移動自在なカッターと上記シート収納箱に上記カッターの先端に当接するカッター受け部とを有する。【選択図】  図１
2004268957.tif 000002
【特許請求の範囲】
【請求項１】
シート収納箱と、このシート収納箱に設けた直線状のシート切断具とよりなり、上記シート切断具が上記シート収納箱からのシート引出方向と直交する方向に対して傾斜していることを特徴とするシート切断具付きシート収納装置。
【請求項２】
上記シート切断具が上記シート収納箱の蓋に設けられていることを特徴とする請求項１記載のシート切断具付きシート収納装置。
【請求項３】
上記シート切断具の端部に他の部分より突出した切断具部分を設けたことを特徴とする請求項１または２記載のシート切断具付きシート収納装置。
【請求項４】
上記蓋に沿って直線状に移動自在な補助カッターを有し、上記シート収納箱が上記補助カッターに当接するカッター受け部を有することを特徴とする請求項１、２または３記載のシート切断具付きシート収納箱。
【請求項５】
シート収納箱と、このシート収納箱の蓋に沿って直線状に移動自在なカッターと、上記シート収納箱に設けた上記カッターに当接するカッター受け部とよりなることを特徴とするシート切断具付きシート収納箱。
【発明の詳細な説明】
【０００１】
【発明の属する技術分野】
本発明はシート切断具付きシート収納装置、特に合成樹脂フィルムまたはテープ、ビニール、紙、アルミ箔等の薄厚シートをロール状にして収納し、そのシートの端部を所定の長さ引き出して切断できるシート切断具付きシート収納装置に関するものである。
【０００２】
【従来の技術】
図１２は従来のシート切断具付きシート収納装置を示し、１はラップフィルム、テープ、ビニール、紙、アルミ箔等の薄厚シート、２は上記シート１のロールを収納する上面が開口した収納箱、３は上記収納箱２の上面開口部を覆う蓋、４は上記蓋３の遊端に設けた折れ片、５は上記折れ片４の下端に設けた金属製又は紙製の鋸刃状のシート切断具である。（特許文献１）。
【０００３】
【特許文献１】
実開昭５７−４９４３０号公報（第１頁、第１図）。
【０００４】
上記従来のシート切断具付きシート収納装置においては、収納箱２を左手で持ち、右手でシート１の端部を持ち、所定の長さ収納箱２から引き出した後、上記シート１の切断される部分が上記切断具５により、正面から向かって右端から左端に向かって切断されるように、右手を捩じるようにして上記シート１を引っ張り、上記シート１を切断せしめていた。
【０００５】
【発明が解決しようとする課題】
然しながら、最初に切断されるべき上記シート１の右端がなかなか思うように切断されず、また、上記シート１の右端を切断するために右手を上記切断具５に対して大きく捩じりながら上記シート１を引っ張る必要があるという欠点があった。
【０００６】
本発明は上記のような欠点を除くようにしたものである。
【０００７】
【課題を解決するための手段】
本発明のシート切断具付きシート収納装置は、シート収納箱と、このシート収納箱に設けた直線状のシート切断具とよりなり、上記シート切断具が上記シート収納箱からのシート引出方向と直交する方向に対して傾斜していることを特徴とする。
【０００８】
また、上記シート切断具は、上記シート収納箱の蓋に設けられていることを特徴とする。
【０００９】
上記シート切断具の端部に他の部分より突出した切断具部分を設けたことを特徴とする。
【００１０】
上記蓋に沿って直線状に移動自在な補助カッターを有し、上記シート収納箱が上記補助カッターに当接するカッター受け部を有することを特徴とする。
【００１１】
本発明のシート切断具付きシート収納箱は、シート収納箱と、このシート収納箱の蓋に沿って直線状に移動自在なカッターと、上記シート収納箱に設けた上記カッターに当接するカッター受け部とよりなることを特徴とする。
【００１２】
【発明の実施の形態】
以下図面によって本発明の実施例を説明する。
【００１３】
本発明の第１の実施例においては、図１及び図２に示すように、例えば幅３０ｃｍの収納箱２の折れ片４の下端を、正面から向かってその右側端が左側端に比べて約１ｃｍ下方になるように傾斜せしめ、上記傾斜した折れ片４の下端に直線状の鋸刃状のシート切断具５を設け、上記切断具５を上記収納箱２に対して傾斜せしめる。即ち、上記切断具５をシート１の引出方向と直交する方向に対して若干傾斜せしめる。
【００１４】
また、上記シート切断具５の右端端部から５ｍｍ以内の部分に鋸刃状の各刃の高さより１ｍｍ〜２ｍｍ程度高い突出刃部６を設ける。
【００１５】
本発明の第１の実施例におけるシート切断具付きシート収納装置は上記のような構成であるから、上記収納箱２を左手で持ち、右手で上記折れ片４と上記収納箱の正面との間から出るシート１の端部を持ち、所定の長さ上記収納箱２から引き出した後、上記シート１を上記切断具５により切断するために右手で上記シートを引っ張れば、上記切断具５が上記収納箱２に対して傾斜しているので、最初に上記シート１の右端と上記切断具５の右端及び突出刃部６とが接触し、応力の集中により上記シート１の右端が切断され、さらに引っ張れば上記シート１の右端から左端に向かってシートが切断される。
【００１６】
なお、上記切断具５を上記折れ片４の下端に設ける代わりに折れ片の下端自体を鋸刃状としてシートを切断できるようにしてもよい。
【００１７】
図３及び図４は本発明の第２の実施例を示し、この実施例においては、折れ片４の下端に切断具５を設ける代わりに、上記収納箱２の上部開口部の正面側縁部を、正面から向かってその左側端が右側端に比べて１ｃｍ下方になるように傾斜せしめ、上記傾斜した正面側縁部に直線状の鋸刃状のシート切断具５を設ける。
【００１８】
また、上記シート切断具５の右端端部から５ｍｍ以内の部分に鋸刃状の各刃の高さより１ｍｍ程度高い突出刃部６を設ける。
【００１９】
この第２の実施例においても、上記収納箱２を左手で持ち、右手でシート１の端部を持ち、所定の長さ収納箱２から引き出した後、上記シート１を上記切断具５により切断するために右手で上記シート１を引っ張れば、上記切断具５が上記収納箱２に対して傾斜しているので、最初に上記シート１の右端と上記切断具５の右端及び突出刃部６とが接触し、応力の集中により上記シート１の右端が切断され、さらに引っ張ればシート１の右端から左端に向かってシートが切断される。
【００２０】
図５は本発明の第３の実施例を示し、この実施例においては、上記第１の実施例のシート切断具付きシート収納箱の折れ片４に折れ片４の下端に沿って左右方向に伸びるスリット７と、このスリット７内をこれに沿って移動自在なカッター装置８を設け、また、上記収納箱２の正面に上記折れ片４の下端に設けた切断具５を挟んで上記スリット７に沿って左右方向に伸びる、上記収納箱２の面から３ｍｍ〜５ｍｍ外方に突出した金属製のカッター受け９を設ける。
【００２１】
上記カッター装置８は図６〜図７に示すように、移動本体１０と、上記スリット７に挿入される基部１１と、上記移動本体１０内に収納された、上記移動本体１０の下端から突出自在なカッター部１２と、上記カッター部１２を常時上方に付勢するバネ１３と、このバネ１３に抗して上記カッター部１２を下方に押し得るボタン部１４とよりなる。
【００２２】
本発明の第３の実施例におけるシート切断具付きシート収納箱は上記のような構成であるから、図８〜図１１に示すように上記収納箱２を左手で持ち、右手で上記シート１の端部を持ち、所定の長さ上記収納箱２から引き出した後、上記カッター装置８のボタン１４を下方に押圧して、カッター部１２を上記移動本体１０の下端から露出せしめ、上記カッター部１２の先端と上記カッター受け９によりシート１を挟んで、この状態で例えば右から左に上記カッター装置８を移動せしめればシート１を約９０％まで切断することができ、切れなかった残りのシート１は上記切断具５により切断せしめる。
【００２３】
なお、上記カッター受け９は紙製でもよい。また、切断具５は省略せしめてもよい。
【００２４】
なお、本発明の第１〜第３の実施例においては、左利き用の収納箱として上記突出刃部６を上記切断具５の左端部に設け、上記切断具５として右利き用のものと傾斜が逆のものを用意してもよい。
【００２５】
【発明の効果】
本発明のシート切断具付きシート収納装置においては、手を大きく捩じることなく容易にフィルムを切断できるという大きな利益がある。
【図面の簡単な説明】
【図１】本発明のシート切断具付きシート収納装置の第１の実施例の斜視図である。
【図２】本発明のシート切断具付きシート収納装置の第１の実施例の正面図である。
【図３】本発明のシート切断具付きシート収納装置の第２の実施例の斜視図である。
【図４】本発明のシート切断具付きシート収納装置の第２の実施例の正面図である。
【図５】本発明のシート切断具付きシート収納箱の第３の実施例のシートを省略した状態の正面図である。
【図６】本発明のシート切断具付きシート収納箱の第３の実施例のカッター装置の縦断側面図である。
【図７】本発明のシート切断具付きシート収納箱の第３の実施例のカッター装置の縦断正面図である。
【図８】本発明のシート切断具付きシート収納箱の第３の実施例のシートを省略した状態のカッターを露出した状態を示す正面図である。
【図９】本発明のシート切断具付きシート収納箱の第３の実施例のカッター装置のカッターを露出した状態を示す縦断側面図である。
【図１０】本発明のシート切断具付きシート収納箱の第３の実施例のカッター装置のカッターを露出した状態を示す縦断正面図である。
【図１１】本発明のシート切断具付きシート収納箱の第３の実施例のシートを省略した状態のカッター装置を移動した状態を示す正面図である。
【図１２】従来のシート切断具付きシート収納装置の斜視図である。
【符号の説明】
１  シート
２  収納箱
３  蓋
４  折れ片
５  切断具
６  突出刃部
７  スリット
８  カッター装置
９  カッター受け
１０  移動本体
１１  基部
１２  カッター部
１３  バネ
１４  ボタン
【図１】
2004268957.tif 000003
【図２】
2004268957.tif 000004
【図３】
2004268957.tif 000005
【図４】
2004268957.tif 000006
【図５】
2004268957.tif 000007
【図６】
2004268957.tif 000008
【図７】
2004268957.tif 000009
【図８】
2004268957.tif 000010
【図９】
2004268957.tif 000011
【図１０】
2004268957.tif 000012
【図１１】
2004268957.tif 000013
【図１２】
2004268957.tif 000014